(57)【要約】      （修正有）【課題】回動部によって送出される風の方向を任意に変更可能とし、回動部を見え難くすることで、デザイン性を向上することができる扇風機を提供することを目的とする。【解決手段】台座部と、台座部から上方へ延びた支柱部２と、支柱部に固定された送風部と、支柱部を回動自在に支持する支持部４と、支柱部を回動する回動部５とを備えている。台座部内には回動部と支持部であるベアリング１２とを備えたものである。これにより、回動部が見え難くなり、デザイン性が向上する。【選択図】図３
2018053777.tif 000002
【特許請求の範囲】
【請求項１】
台座部と、
前記台座部から上方へ延びた支柱部と、
前記支柱部に固定された送風部と、
前記支柱部を回動自在に支持する支持部と、
前記支柱部を回動する回動部とを備え、
前記台座部内には前記回動部と前記支持部であるベアリングとを備えたことを特徴とする扇風機。
【請求項２】
前記ベアリングは、
前記台座部内の上部に装着された第１のベアリングと、
前記台座部内の下部に装着された第２のベアリングであることを特徴とする請求項１に記載の扇風機。
【請求項３】
前記第１のベアリングと前記第２のベアリングとの間に空間を備えたことを特徴とする請求項２に記載の扇風機。
【請求項４】
前記台座部内にはベアリングホルダーが固定され、
前記第１のベアリングと前記第２のベアリングは前記ベアリングホルダーの円筒部に装着され、
前記空間には前記円筒部の内面から延びた接触部を備え、
前記接触部は、前記第１のベアリングの下面の一部と、前記第２のベアリングの上面の一部とに接触することを特徴とする請求項３に記載の扇風機。
【請求項５】
前記回動部は、
前記台座部内に設けた首振りモータと、
前記首振りモータの回転軸に設けた第１のギアと、
前記支柱部部の下部に設けた第２のギアとを備え、
前記第２のギアと第１のギアとは噛み合い、
前記第２のギアは前記第２のベアリングより下方に設けられたことを特徴とする請求項２から４のいずれかに記載の扇風機。
【請求項６】
前記台座部は、
前記台座部の上面である上台座部と、
前記台座部の下面である下台座部とを備え、
前記ベアリングホルダーは、
前記上台座部と前記下台座部に挟まれ、
前記ベアリングホルダーの上部は前記上台座部と固定され、
前記ベアリングホルダーの下部は前記下台座部と固定されたことを特徴とする請求項５に記載の扇風機。
【発明の詳細な説明】
【技術分野】
【０００１】
本発明は、一般的な家庭において、ファンの回転により昇圧された空気を送出し、その風に人体が当たり涼感を得たり、室内の空気を攪拌して温度ムラをなくしたりするのに使用される扇風機に関するものである。
【背景技術】
【０００２】
従来、この種の扇風機は、送出される風の方向を任意に変更可能としたものが知られている（例えば、特許文献１参照）。
【０００３】
扇風機は基台部と、基台部から上方に延びた支柱部と、支柱部の上部に設けた回動部と、回動部に設けた送風部とからなり、送風部と回動部とを制御する制御部を備えることにより送風部は任意の方向に風を送出することができる。
【先行技術文献】
【特許文献】
【０００４】
【特許文献１】特開２０１５−１６９１６１号公報
【発明の概要】
【発明が解決しようとする課題】
【０００５】
このような従来の扇風機においては、支柱部と送風部との間には、送風部を回動自在に支持する支持部と、送風部を回動する回動部とを備えている。そのため、支持部と回動部に送風部を回動させるための構造が必要なことにより、支持部と回動部が大きくなり、見栄えが悪くなるという課題を有していた。
【０００６】
そこで本発明は、上記従来の課題を解決するものであり、支持部と回動部を見え難くすることで、デザイン性を向上することができる扇風機を提供することを目的とする。
【課題を解決するための手段】
【０００７】
そして、この目的を達成するために、本発明は、台座部と、前記台座部から上方へ延びた支柱部と、前記支柱部に固定された送風部と、前記支柱部を回動自在に支持する支持部と、前記支柱部を回動する回動部とを備え、前記台座部内には前記回動部と前記支持部であるベアリングとを備えたものであり、これにより所期の目的を達成するものである。
【発明の効果】
【０００８】
本発明によれば、台座部と、前記台座部から上方へ延びた支柱部と、前記支柱部に固定された送風部と、前記支柱部を回動自在に支持する支持部と、前記支柱部を回動する回動部とを備え、前記台座部内には前記回動部と前記支持部であるベアリングとを備えたことにより、回動部を台座部内におさめることができ、送風部のデザイン性が向上するという効果を得る。
【図面の簡単な説明】
【０００９】
【図１】本発明の実施の形態１の扇風機の側面図
【図２】同扇風機の斜視図
【図３】同扇風機の台座部の断面図
【図４】同扇風機のベアリングの斜視図
【図５】同扇風機のベアリングホルダーの斜視図
【図６】同扇風機の台座部の断面図
【図７】同扇風機の台座部の断面斜視図
【発明を実施するための形態】
【００１０】
以下、本発明の実施の形態について図面を参照しながら説明する。
【００１１】
（実施の形態１）
図１は、本発明の実施の形態１の扇風機の側面図であり、扇風機を右側から見た図である。図２は、本発明の実施の形態１の扇風機の斜視図である。
【００１２】
図１および図２に示すように、扇風機は、台座部１と、支柱部２と、送風部３と、支持部４と、回動部５とを備えている。
【００１３】
台座部１は、台座部１の下面である下台座部６と、台座部１の上面である上台座部７とを備えている。下台座部６は、上方が開口した略椀形状であり、上台座部７は、下方が開口した略椀形状である。上台座部７は、中央部に支柱部２の下部が入る円形の孔８を有している。
【００１４】
支柱部２は、略円筒形状であり、上台座部７の中央部から上方へ延びている。支柱部２の下端部は、上台座部７の孔８に挿入され、支柱部２の上端部には、送風部３が固定されている。
【００１５】
送風部３は、支柱部２の上端部に固定されたファン用モータ部分９と、ファン用モータ部分９の回転軸（図示せず）に固定された羽根部分１０と、羽根部分１０を覆うガード部分１１とを備えている。ファン用モータ部分９が駆動すると、ファン用モータ部分９の回転軸に固定された羽根部分１０が回転し、空気が送出される。送風部３を上端部に固定された支柱部２は、支持部４によって台座部１に回動自在に支持されている。
【００１６】
図３は、本発明の実施の形態１の扇風機の台座部の断面図であり、扇風機を右側から見た図である。図４は、本発明の実施の形態１の扇風機のベアリングの斜視図である。
【００１７】
図３、４に示すように、支持部４は、環状のベアリング１２である。ベアリング１２は、環形状の内側環部１３と、環形状の外側環部１４と、これらの間に設けられた多数の球形状の球部（図示せず）とを備えている。外側環部１４の内径は、内側環部１３の外形より大きいものである。ベアリング１２の中央部の孔１５内、つまり内側環部内に支柱部２の下部が挿入され、ベアリング１２の外周である外側環部１４は、台座部１内のベアリングホルダー１６に装着されている。
【００１８】
図５は、本発明の実施の形態１の扇風機のベアリングホルダーの斜視図であり、斜め上方から見た図である。
【００１９】
図５に示すように、ベアリングホルダー１６は、下方が開口した略椀形状であり、中央部に円形の孔１７を有し、この孔１７の開口縁から下方へ延びる円筒形状の円筒部１８を備えている。円筒部１８内には、ベアリング１２の外側環部１４が嵌り、固定されている。ベアリング１２の回転軸と、支柱部２の中心軸と、円筒部１８の中心軸とは、同軸上に配置されている。支柱部２は、ベアリング１２によって回動自在に支持され、回動部５によって回動する。
【００２０】
図６は、本発明の実施の形態１の扇風機の台座部の断面図であり、扇風機を右側から見た図である。
【００２１】
図６に示すように、回動部５は、台座部１内に固定されたモータ部分１９と、モータ部分１９の回転軸２０に固定された第１のギア２１と、支柱部２の下部外周に装着された第２のギア２２である。第１のギア２１と第２のギア２２とは、噛み合う構成である。回動部５のモータ部分１９が駆動すると、モータ部分１９の回転軸２０に固定された第１のギア２１を介して、第２のギア２２が回動する。第２のギア２２が回動すると、支柱部２と送風部３とが回動する。
【００２２】
図７は、本発明の実施の形態１の扇風機の台座部の断面斜視図である。図７は、扇風機を右側から見た図であり、上台座部７を外した状態である。
【００２３】
図７に示すように、本実施形態における特徴は、台座部１内には、回動部５と、支持部４であるベアリング１２とを備えた点である。これにより、回動部５と支持部４とが見えないので、デザイン性が向上する。また、台座部１に回動部５を備えることで、送風部３での回動動作にはならないため、回動動作を行っても送風部３の重心位置が変わらないため、回動動作を円滑に行うことができる。
【００２４】
また、ベアリング１２は、台座部１内の上部に装着された第１のベアリング２３と、台座部１内の下部に装着された第２のベアリング２４である。これにより、台座部１内における上部と下部でベアリングを２つ用いることで、支柱部２をしっかりと保持することができる。
【００２５】
また、第１のベアリング２３と第２のベアリング２４との間に空間２５を備えている。これにより、２つのベアリングの間に空間を設けることで、第１のベアリング２３と第２のベアリング２４との距離が長くなり、支柱部２のがたつきや傾きを抑制することができる。
【００２６】
図５、７に示すように、第１のベアリング２３と第２のベアリング２４との間に空間２５には、円筒部１８の内面から延びた接触部２６を備えている。接触部２６は、第１のベアリング２３の下面の一部と、第２のベアリング２４の上面の一部とに接触している。これにより、接触部２６は、第１のベアリング２３に下向きの力がかかった場合に、第１のベアリング２３が下方へ移動しないように支持し、第２のベアリング２４に上向きの力がかかった場合に、第２のベアリング２４が上方への移動しないよう支持する。
【００２７】
接触部２６は、第１のベアリング２３と接触する第１の接触部２６ａと、第２のベアリング２４と接触する第２の接触部２６ｂとを備えている。
【００２８】
第１の接触部２６ａは、円筒部１８の内面から中心軸方向へ突出した環形状であり、軸方向が上下方向に伸びている。第１の接触部２６ａの上面と、第１のベアリング２３の下面の一部とが接触する。
【００２９】
第２の接触部２６ｂは、円筒部１８の内面から中心軸方向へ突出した多数の縦長四角形状の平板である。第２の接触部２６ｂの下端と、第２のベアリング２４の上面の一部とに接触している。なお、第２の接触部２６ｂの上端は、第１の接触部２６ａの下面に連結している。
【００３０】
これにより、第１のベアリング２３と第２のベアリング２４は、ベアリングホルダー１６の円筒部１８内に第１のベアリング２３と第２のベアリング２４の外側環部１４が嵌り、嵌合することによって固定されるだけでなく、更に接触部２６によってベアリングホルダー１６に固定される。特に、扇風機の支柱部２をつかみ扇風機を持ち上げた場合には、第２のベアリング２４に上向きの力がかかるが、接触部２６によって第２のベアリング２４が上方へ移動しないように支持されている。また、扇風機を床面等においた場合には、第１のベアリング２３に下向きの力がかかるが、接触部２６によって第１のベアリング２３が下方へ移動しないように支持されている。結果として、接触部２６によって、第１のベアリング２３とベアリングホルダー１６、第２のベアリング２４とベアリングホルダー１６の固定強度が向上する。
【００３１】
また、回動部５は、台座部１内に設けたモータ部分１９と、モータ部分１９の回転軸２０に設けた第１のギア２１と、台座部１内の下部に設けた第２のギア２２とを備えている。第２のギア２２と第１のギア２１とは噛み合い、第２のギア２２は第２のベアリング２４より下方に設けられている。
【００３２】
また、台座部１は、台座部１の上面である上台座部７と、台座部１の下面である下台座部６とを備えている。第１のベアリング２３と第２のベアリング２４はベアリングホルダー１６に装着されている。ベアリングホルダー１６は、上台座部７と下台座部６に挟まれ、ベアリングホルダー１６の上部は上台座部７と固定され、ベアリングホルダー１６の下部は下台座部６と固定されている。これにより、台座部１を内部からベアリングホルダー１６で固定できるので、台座部１の強度が向上し、本体、スタンドのがたつきや傾きが抑制できる。
【産業上の利用可能性】
【００３３】
本発明にかかる扇風機は、一般家庭などにおいて、送出される風を浴びて涼感を得たり、室内の空気を攪拌して温度ムラをなくしたりするのに使用される扇風機等として有用である。
【符号の説明】
【００３４】
１    台座部
２    支柱部
３    送風部
４    支持部
５    回動部
６    下台座部
７    上台座部
８    孔
９    ファン用モータ部分
１０    羽根部分
１１    ガード部分
１２    ベアリング
１３    内側環部
１４    外側環部
１５    孔
１６    ベアリングホルダー
１７    孔
１８    円筒部
１９    モータ部分
２０    回転軸
２１    第１のギア
２２    第２のギア
２３    第１のベアリング
２４    第２のベアリング
２５    空間
２６    接触部
２６ａ    第１の接触部
２６ｂ    第２の接触部
【図１】
2018053777.tif 000003
【図２】
2018053777.tif 000004
【図３】
2018053777.tif 000005
【図４】
2018053777.tif 000006
【図５】
2018053777.tif 000007
【図６】
2018053777.tif 000008
【図７】
2018053777.tif 000009